(57)【要約】  【課題】  採取したサンプルを十分に乾燥させた状態で適切に保存することのできるサンプル採取用スワブを提供する。  【解決手段】  サンプル採取用スワブ１は、軸部材２の根端部を保持する保持部材３と、軸部材２の先端部に設けられるサンプル採取用の綿部材５と、軸部材２を覆うように保持部材に取り付けられる筒状のカバー部材４を備える。カバー部材４の内周面には、カバー部材４が保持部材３に取り付けられた状態で軸部材２の綿部材５より先端側の位置に、内側に向けて突出する凸部６が設けられる。この凸部６によって、カバー部材４の内部には、カバー部材４が保持部材３に取り付けられた状態で凸部６より先端側の位置に、乾燥剤７を収納するための収納部８が形成される。【選択図】  図１
2014010132.tif 000002
【特許請求の範囲】
【請求項１】
軸部材の根端部を保持する保持部材と、
前記軸部材の先端部に設けられるサンプル採取用の綿部材と、
前記軸部材を覆うように前記保持部材に取り付けられる筒状のカバー部材と、
を備えたサンプル採取用スワブであって、
前記カバー部材の内周面には、前記カバー部材が前記保持部材に取り付けられた状態で前記軸部材の前記綿部材より先端側の位置に、内側に向けて突出する凸部が設けられ、
前記凸部によって、前記カバー部材の内部には、前記カバー部材が前記保持部材に取り付けられた状態で前記凸部より先端側の位置に、乾燥剤を収納するための収納部が形成されることを特徴とするサンプル採取用スワブ。
【請求項２】
前記乾燥剤は、前記収納部に収納された状態で、前記綿部材の近傍に配置される、請求項１に記載のサンプル採取用スワブ。
【請求項３】
前記乾燥剤は、前記収納部に収納された状態で、前記凸部によって係止される、請求項１または請求項２に記載のサンプル採取用スワブ。
【請求項４】
前記乾燥剤は、前記収納部に収納された状態で、前記綿部材と接触しない、請求項１〜請求項３のいずれかに記載のサンプル採取用スワブ。
【発明の詳細な説明】
【技術分野】
【０００１】
本発明は、検査用サンプルを採取するためのスワブに関し、特に、検査用のＤＮＡサンプルを採取・保存する技術に関する。
【背景技術】
【０００２】
従来、検査用のＤＮＡサンプル（ＤＮＡ試料）を口腔内からスワブ（綿棒）を用いて採取して保存するためのシステムが提案されている。例えば、複数の吸収パッドが串材に組み付けられており、各パッドが串材と隣接パッドから分離可能とされているスワブシステムが提案されている（特許文献１参照）。
【先行技術文献】
【特許文献】
【０００３】
【特許文献１】特表２０１０−５０２９９１号公報
【発明の概要】
【発明が解決しようとする課題】
【０００４】
採取したＤＮＡサンプルは、乾燥させた状態で保存することが望ましい。しかしながら、従来のスワブシステムでは、採取したＤＮＡサンプルを十分に乾燥させた状態で保存することが難しく、改良の余地があった。
【０００５】
本発明は、上記の課題に鑑みてなされたもので、採取したＤＮＡサンプルを十分に乾燥させた状態で適切に保存することのできるサンプル採取用スワブを提供することを目的とする。
【課題を解決するための手段】
【０００６】
本発明のサンプル採取用スワブは、軸部材の根端部を保持する保持部材と、軸部材の先端部に設けられるサンプル採取用の綿部材と、軸部材を覆うように保持部材に取り付けられる筒状のカバー部材と、を備えたサンプル採取用スワブであって、カバー部材の内周面には、カバー部材が保持部材に取り付けられた状態で軸部材の綿部材より先端側の位置に、内側に向けて突出する凸部が設けられ、凸部によって、カバー部材の内部には、カバー部材が保持部材に取り付けられた状態で凸部より先端側の位置に、乾燥剤を収納するための収納部が形成されている。
【０００７】
これにより、サンプル採取用スワブのカバー部材の内周面に凸部によって収納部が形成され、その収納部に乾燥剤が収納される。この場合、乾燥剤は、収納部に収納された状態で、綿部材の近傍に配置されることが望ましい。また、乾燥剤は、収納部に収納された状態で、凸部によって係止されることが望ましい。さらに、乾燥剤は、収納部に収納された状態で、綿部材と接触しないことが望まし。この乾燥剤により、綿部材で採取したサンプルを十分に乾燥させた状態で適切に保存することができる。
【発明の効果】
【０００８】
本発明によれば、採取したサンプルを十分に乾燥させた状態で適切に保存することができる。
【図面の簡単な説明】
【０００９】
【図１】図１は、本発明の実施の形態におけるサンプル採取用スワブの分解斜視図である。
【図２】図２は、本発明の実施の形態におけるサンプル採取用スワブ（表側）の斜視図である。
【図３】図３は、本発明の実施の形態におけるサンプル採取用スワブ（裏側）の斜視図である。
【図４】図４は、本発明の実施の形態におけるサンプル採取用スワブの側断面図である。
【発明を実施するための形態】
【００１０】
以下、本発明の実施の形態のサンプル採取用スワブについて、図面を用いて説明する。本実施の形態では、検査用のＤＮＡサンプル（ＤＮＡ試料）を口腔内から採取して保存するためのシステム等に用いられるサンプル採取用スワブの場合を例示する。
【００１１】
本発明の実施の形態のサンプル採取用スワブの構成を、図面を参照して説明する。図１は、本実施の形態のサンプル採取用スワブの分解斜視図であり、図２および図３は、本実施の形態のサンプル採取用スワブの斜視図である。また、図４は、本実施の形態のサンプル採取用スワブの側断面図である。
【００１２】
図１〜図３に示すように、サンプル採取用スワブ１は、軸部材２の根端部を保持する保持部材３と、軸部材２を覆うように保持部材３に取り付けられる筒状のカバー部材４を備えている。軸部材２の先端部には、サンプル採取用の綿部材５が設けられている。
【００１３】
図４に示すように、カバー部材４の内周面には、カバー部材４が保持部材３に取り付けられた状態で綿部材５（軸部材２の先端）より先端側（図４における左側）の位置に、内側に向けて突出する凸部６が設けられている。そして、この凸部６によって、カバー部材４の内部には、カバー部材４が保持部材３に取り付けられた状態で凸部６より先端側（図４における左側）の位置に、乾燥剤７を収納するための空間として収納部８が形成される。乾燥剤７としては、例えばシリカゲルなどが使用される。
【００１４】
この場合、乾燥剤７は、収納部８に収納された状態で、綿部材５の近傍に配置される。また、乾燥剤７は、収納部８に収納された状態で、凸部６によって係止されている。さらに、乾燥剤７は、収納部８に収納された状態で、綿部材５と接触しないようにされている。
【００１５】
カバー部材４の形状は、角筒状とされており、机の上などに置いたときの転がりを防止することができる。また、保持部材３とカバー部材４の表面には、複数の直線状の突起９が並んで設けられており、保持部材３とカバー部材４の着脱を容易にすることができる。
【００１６】
以上のように構成されたサンプル採取用スワブ１について、その使い方を説明する。
【００１７】
サンプル採取用スワブ１のキットは、真空パックなどで密封された状態で、ユーザに郵送される。ユーザは、真空パックを開封した後、保持部材３を把持して、綿部材５を口腔内に挿入し、ＤＮＡサンプルを採取する。採取が完了したら、綿部材５を覆うようにカバー部材４を保持部材３に取り付け、返送用の封筒に入れて、検査機関に郵送する。
【００１８】
このような本発明の実施の形態のサンプル採取用スワブ１によれば、採取したサンプルを十分に乾燥させた状態で適切に保存することができる。
【００１９】
すなわち、本実施の形態では、サンプル採取用スワブ１のカバー部材４の内周面に凸部６によって収納部８が形成され、その収納部８に乾燥剤７が収納される。この乾燥剤７により、綿部材５で採取したサンプルを十分に乾燥させた状態で適切に保存することができる。
【００２０】
この場合、乾燥剤７は、収納部８に収納された状態で、綿部材５の近傍に配置されるので、高い乾燥効果を得ることができる。また、乾燥剤７は、収納部８に収納された状態で、凸部６によって係止されているので、運搬中に乾燥剤７が収納部８から抜け出るのを防止することができる。さらに、乾燥剤７は、収納部８に収納された状態で、綿部材５と接触しないようにされているので、採取したサンプルが乾燥剤７との接触で汚染されるのを防止することができる。
【００２１】
以上、本発明の実施の形態を例示により説明したが、本発明の範囲はこれらに限定されるものではなく、請求項に記載された範囲内において目的に応じて変更・変形することが可能である。
【産業上の利用可能性】
【００２２】
以上のように、本発明にかかるサンプル採取用スワブは、採取したサンプルを十分に乾燥させた状態で適切に保存することができるという効果を有し、検査用のＤＮＡサンプル（ＤＮＡ試料）を口腔内から採取して保存するためのシステム等に用いられ、有用である。
【符号の説明】
【００２３】
１  サンプル採取用スワブ
２  軸部材
３  保持部材
４  カバー部材
５  綿部材
６  凸部
７  乾燥剤
８  収納部
９  突起
【図１】
2014010132.tif 000003
【図２】
2014010132.tif 000004
【図３】
2014010132.tif 000005
【図４】
2014010132.tif 000006